(57)【特許請求の範囲】
【請求項１】
電圧非印加時に光散乱状態になる高分子分散型液晶層と、
前記高分子分散型液晶層に電界を形成する第１および第２の透明電極とを備え、
第１の透明電極は第１電極パターンと該第１電極パターンに境界部分を介して隣接配置された第２電極パターンとを有し、
前記第１電極パターンは表示パターンと配線パターンを有し、前記第２電極パターンは背景パターンであり、
該境界部分の幅は、前記第２電極パターンと前記第２の透明電極とにより形成される電界の作用により前記境界部分に対応する前記高分子分散型液晶層の部分を透明化するに十分な大きさであることを特徴とする液晶表示装置。
【請求項２】
前記第１電極パターンは表示パターンであり、前記第２電極パターンは背景パターンであり、そして前記境界部分の幅は前記高分子分散型液晶層の膜厚と略等しいことを特徴とする請求項１に記載の液晶表示装置。
【請求項３】
前記第１電極パターンは配線パターンであり、前記第２電極パターンは背景パターンであり、そして前記第１電極パターンと前記境界部分との合計幅は前記高分子分散型液晶層の膜厚と略等しいことを特徴とする請求項１に記載の液晶表示装置。
【請求項４】
前記表示パターンと前記背景パターンとの境界部分の幅は前記高分子分散型液晶層の膜厚と略等しく、前記配線パターンの幅と前記配線パターンと前記背景パターンとの境界部分の幅の合計は前記高分子分散型液晶層の膜厚と略等しいことを特徴とする請求項１に記載の液晶表示装置。
【請求項５】
前記配線パターンは、線状に延びるパターンから成り、前記配線パターンと前記背景パターンとの境界部分は前記配線パターンに沿ってその両側に位置していることを特徴とする請求項３または４に記載の液晶表示装置。
【請求項６】
前記配線パターンの幅と前記配線パターンに沿ってその両側に位置している前記背景パターンとの境界部分の幅は前記高分子分散型液晶層の膜厚と略等しいことを特徴とする請求項５に記載の液晶表示装置。
【請求項７】
前記配線パターンの一端は前記表示パターンと結線され、他端は前記高分子分散型液晶層の端部方向に向かって延びていることを特徴とする請求項４から６のいずれか一項に記載の液晶表示装置。
【請求項８】
前記高分子分散型液晶層は、矩形状に形成され、
前記表示パターンと前記配線パターンは複数は位置され、
それぞれの前記配線パターンの一端は複数の前記表示パターンのいずれかに結線され、それぞれの前記配線パターンの他端は、前記矩形の一辺に向かって延びていることを特徴とする請求項４から６のいずれか一項に記載の液晶表示装置。
【請求項９】
請求項１から８のいずれか一項に記載の液晶表示装置と、該液晶表示装置を駆動制御するための制御回路と、を具備したことを特徴とするカメラ。
【発明の詳細な説明】
【０００１】
【発明の属する技術分野】
本発明は、高分子分散型の液晶を用いた液晶表示装置に関するものである。
【０００２】
【従来の技術】
高分子分散型液晶を用いて効率的な動作を行う液晶表示装置では、通常、非通電によって液晶を非透明状態（光散乱状態）とし、通電によって液晶を透明状態とするという、２つの状態を利用して表示がなされている。具体的に説明すると、上記のような液晶表示装置では、高分子分散型液晶が対向する透明電極に挟まれて配置されている。液晶は、両透明電極に同相の交流信号を印可することによって、電圧が印可されてない光散乱状態となり、両透明電極に位相の異なる交流信号を加えることによって、電圧が印加された透明状態となる。液晶をこのように駆動すると、パターンを透明状態とし周囲を光散乱状態とすることによって、すりガラスのような白地背景に透明領域を表示させることができ、或いは、パターンを光散乱状態とし周囲を透明状態とすることによって、透明な背景に対して白地領域の表示がなされることになる。
【０００３】
【発明が解決しようとする課題】
白地背景に透明体の表示をなすのであれば、上記のような装置構成でも特に問題は生じない。しかしながら、透明背景に白地領域の表示をなそうとする場合には以下のような問題が起こってくる。
【０００４】
透明背景の中に浮かぶ島のような表示領域について考えてみる。このような場合、表示領域の周囲であるバックグランド領域に電圧を印可して透明背景にしておいたとしても、その表示領域に至る配線部分が問題になってくる。すなわち、島状の表示領域が非通電、つまり両電極間にかかる電圧が同位相であれば、当然、そこに至る配線部分も対向する透明電極と同位相の電位となる。このことは、島状の表示領域を光散乱状態で表示すれば、そこの表示領域に至る配線部分も光散乱状態となり同時に表示されてしまうことを意味している。
【０００５】
液晶表示装置において、透明状態になっている背景中に島状の白地領域を表示するということは、液晶表示板が光学系の中に組み込まれた場合、透明体によって透過された光束の画像にいわゆるスーパーインポーズして表示マークを白地領域として浮かび上がらせるように表示するということである。この場合、表示マークには、これに電圧を供給する配線が結線されるので、配線を介して電圧が液晶に印加され、表示マークを構成する各セグメントの全てが、画面の縁から延びる配線部分に対応してひも付き状に見えてしまうことになり、透過された光束画像が台無しとなる。
【０００６】
さらに、背景部分と表示マークとの境界には、両者に対応する透明電極を構成するセグメント間の境界があり、この境界は電極パターンが存在しないブランク部分として残ってしまう。このブランク部分では、このブランク部分に対向して存在する液晶領域に電界がかからないので、常に光散乱状態が維持される。つまり、背景部分を透明にし、表示マーク部も透明にした場合に表示される内容は、ブランク部分が表示マークの縁取りのように白地領域として表示され、表示マーク部を白地にした場合にはブランク部分と表示マーク部分の両方が白地領域として塗りつぶされた表示マークになってしまう。
【０００７】
以上のように、従来の液晶表示装置では、表示マークが不必要な場合にもこれを完全に消すことができず、配線部分が表示マークの点滅に伴ってそのつど点滅するという表示上の制約が存在する。このような制約は、背景となる画像に所望の表示を光学的にスーパーインポーズするに当たって大きな障害となる。つまり、スーパーインポーズすべき表示は、単に表示されるだけではなく、不要な場合には、完全に消えるものであることが望まれる。
【０００８】
そこで、本発明は、表示マークへの配線部分が表示されたり、表示マークの縁取りだけが表示されたりするといった不都合を防止しつつ、背景となる画像に所望の表示をスーパーインポーズすることができる液晶表示装置を提供することを目的とする。
【０００９】
【課題を解決するための手段】
上記課題を解決するため、本発明の液晶表示装置は、電圧非印加時に光散乱状態になる高分子分散型液晶層と、前記高分子分散型液晶層に電界を形成する第１および第２の透明電極とを備え、第１の透明電極は第１電極パターンと該第１電極パターンに境界部分を介して隣接配置された第２電極パターンとを有し、前記第１電極パターンは表示パターンと配線パターンを有し、前記第２電極パターンは背景パターンであり、該境界部分の幅は、前記第２電極パターンと前記第２の透明電極とにより形成される電界の作用により前記境界部分に対応する前記高分子分散型液晶層の部分を透明化するに十分な大きさであることを特徴とする。
【００１０】
本発明によれば、上記装置において、第１電極パターンと第２電極パターンとに電圧を印加することによって両パターンが共に透明状態となった場合、両パターンの境界部分に対向する領域の高分子分散型液晶層に周囲からの電界が回り込んで、両パターンの境界部分が表示・観察されなくなる。
【００１１】
【発明の実施の形態】
〔第１実施形態〕
図１は、第１実施形態の液晶表示装置を構成する表示パネルの平面図である。この表示パネル１０は、厚さ方向において２枚のガラス板２１、２２の間に後述する高分子分散型液晶を挟んだものである。矩形の視野領域ＩＦの内部には、５つの表示パターン（「［ ］」状部分）ＤＰ1〜ＤＰ5が適宜配列されている。各表示パターンＤＰ1〜ＤＰ5と、これらにそれぞれ結線された配線パターンＷＰ1〜ＷＰ5とは、表面側の第２ガラス板２２の内面側に形成されたものであり、各配線パターンＷＰ1〜ＷＰ5の他端は、表示パネル１０の一辺に向かって延びている。この辺には、裏面側の第１ガラス板２１をはみ出させることによって段差が形成されている。この段差における第１ガラス板２１側の表面には、端子引出部３１が形成されている。
【００１２】
端子引出部３１には、一定ピッチで端子Ｔ1〜Ｔ5が形成されている。端子Ｔ1〜Ｔ5は、配線パターンＷＰ1〜ＷＰ5にそれぞれ接続されている。この端子引出部３１には、ゼブラと称される、絶縁層と導電層とを薄く多層に積層したゴム状体や、フレキシブルケーブルを圧着する。これにより、外部に設けた駆動回路（後述）からの給電用の電線を適宜各端子Ｔ1〜Ｔ5を介してそれぞれの配線パターンＷＰ1〜ＷＰ5に接続することができる。
【００１３】
なお、第２ガラス板２２の内面において、表示パターンＤＰ1〜ＤＰ5及び配線パターンＷＰ1〜ＷＰ5の周囲には、僅かな隙間を介して背景パターン（図示を省略）が形成されている。また、第２ガラス板２２に対向する第１ガラス板２１の内面側には、面全体にわたり一様に裏面電極３２（図２に示す）が形成されている。前者の背景パターンには、上記の端子引出部３１に設けた端子ＴＢが接続されており、後者の裏面電極３２には、端子引出部３１に設けた端子ＴＲが接続されている。
【００１４】
図２は、図１の表示パネルの断面構造を示す。図からも明らかなように、この表示パネル１０は、高分子分散型液晶５０を第１ガラス板２１と第２ガラス板２２との隙間に注入した構造となっており、高分子分散型液晶５０と第１ガラス板２１との間、及び高分子分散型液晶５０と第２ガラス板２２との間には、ＩＴＯ（インジウム・スズ・酸化物）からなる非常に薄い透明電極層３２、４２がそれぞれ形成されている。
【００１５】
上側の透明電極層４２は、図１に示す表示パターンＤＰ1〜ＤＰ5と、配線パターンＷＰ1〜ＷＰ5と、これらの周囲に設けられる背景パターンとのいずれかに相当する。すなわち、透明電極層４２は表示パターンＤＰ１〜ＤＰ５、配線パターンＷＰ１〜ＷＰ５及び上記背景パターンにより構成されている。一方、下側の透明電極層３２は、上記全パターンに対向して一様に設けられる共通の裏面電極に相当する。
【００１６】
高分子分散型液晶５０は、ネマチック液晶を高分子中に分散させた高分子・液晶複合材料からなり、電界効果によって液晶の屈折率を変化させて光の散乱度を変化させるものである。ここで、一対の透明電極層３２、４２にほぼゼロの電圧を印加する場合、高分子分散型液晶５０は、電界が加えられていない光散乱状態となって白濁する。一方、一対の透明電極層３２、４２に所定以上の電圧を印加する場合、高分子分散型液晶５０は、電界が加えられた状態となって高い光透過性を示す。
【００１７】
なお、高分子分散型液晶５０の厚みは１０μｍ程度以下であり、また透明電極層３２、４２は数十ｎｍであり、数百μｍにもおよぶガラス板２１、２２の厚みに比べると非常に薄くなっている。
【００１８】
図３は、透明電極層の境界における表示状態を説明する図である。図３（ａ）は、表示パターンと背景パターンとの境界を示し、図３（ｂ）は、配線パターンと背景パターンとの境界を示す。
【００１９】
図３（ａ）の場合、第２ガラス板２２側の透明電極層４２は、表示パターンＤＰ1と、背景パターンＢＰとから成る。両パターンＤＰ1、ＢＰの間隙部分には、これらと厚さや屈折率が等しく透明な絶縁物質層３３が設けられている。表示パターンＤＰ1を設けた表示領域では、表示パターンＤＰ1に電圧を印加することにより、高分子分散型液晶５０は透明となって非表示状態となる。また、背景パターンＢＰを設けた背景領域では、背景パターンＢＰに電圧を印加することにより、高分子分散型液晶５０は透明となって入射光束（像光）を透過させる。両パターンＤＰ1、ＢＰともに電圧を印加した場合、絶縁物質層３３を設けた境界部分では、高分子分散型液晶５０に周囲からの電界が回り込むと考えられる。この結果、境界部分の高分子分散型液晶５０も透明となって、表示パネル１０の視野領域全体が入射光束を透過させる。つまり、表示パターンＤＰ1が透明となって非表示状態にあるとき、表示パターンＤＰ1と背景パターンＢＰの境界部分、すなわち表示パターンＤＰ1の輪郭が表示されるといった不都合が生じない。このように絶縁物質３３を設けた境界部分の幅は、表示パタ−ンＤＰ１と背景パターンＢＰに電圧を印加した場合、この境界部分に対向する高分子分散型液晶層５０に周囲からの電界が廻り込んで境界部分を透明にする程度のものであり、具体的には両パターンの間の境界部分の幅が高分子分散型液晶層５０の膜厚にほぼ等しい。ここでほぼ等しいとは高分子分散型液晶層５０の膜厚の２倍程度以下であることを意味する。現実の液晶表示装置では、高分子分散型液晶層５０の厚みが１０μｍ程度であるので、両パターンの間隔は、最大でも２０μｍ以下にする必要がある。
【００２０】
一方、表示パターンＤＰ1に電圧を印加しない場合、すなわち表示パターンＤＰ1への給電を遮断してハイインピーダンス状態とする場合、表示領域では高分子分散型液晶５０が白濁して光散乱状態となり白地領域として表示される。この際、境界領域のみならず表示領域の縁部分にも背景パターンＢＰからの電界が回り込むことになるが、表示の見え方にはほとんど影響しない。
【００２１】
図３（ｂ）の場合、第２ガラス板２２側の透明電極層４２は、配線パターンＷＰ1と、背景パターンＢＰとから成る。両パターンＷＰ1、ＢＰの間隔部分には、これらと厚さや屈折率が等しく透明な絶縁物質層３３が設けられている。背景パターンＢＰを設けた背景領域では、既述のように背景パターンＢＰに電圧を印加することにより、高分子分散型液晶５０は透明となって入射光束を透過させる。また、配線パターンＷＰ1を設けた配線領域では、配線パターンＷＰ1に電圧を印加することにより、高分子分散型液晶５０が透明となって入射光束を透過させる。両パターンＷＰ1、ＢＰに電圧を印加した場合、絶縁物質層３３を設けた境界部分では、高分子分散型液晶５０に周囲からの電界が廻り込み、境界部分の高分子分散型液晶５０も透明となって、表示パネル１０の視野領域全体が入射光束を透過させる。つまり、表示パターンＤＰ1とともに配線パターンＷＰ1も透明となって非表示状態にあるとき、配線パターンＷＰ1と背景パターンＢＰの境界部分、すなわち配線パターンＷＰ1の輪郭が表示されるといった不都合が生じない。
【００２２】
一方、配線パターンＷＰ1に電圧を印加しない場合、すなわち表示パターンＤＰ1への給電を遮断してハイインピーダンス状態とする場合、配線領域（例えば幅５μｍ）とこれを挟む境界部分（各領域、例えば幅７μｍ）では、これら部分に対向する高分子分散型液晶５０に周囲の背景領域からの電界が廻り込んで透明となる。つまり、表示パターンＤＰ1を表示状態とした場合に、配線領域の表示を消すことができる。このように、本実施形態において、配線パターンＷＰ１を挟む両側の境界部分３３、３３と配線パターンＷＰ１との合計幅は、この合計幅部分に対向する高分子分散型液晶層５０が、周囲の背景パターンＢＰからの電界により透明化するに十分にされており、上記合計幅は高分子分散型液晶層５０の厚さとほぼ等しくされている。ここで、ほぼ等しいとは合計幅が高分子分散型液晶層５０の２倍程度以下であることを意味する。
【００２３】
なお、以上において、表示パターンＤＰ1と、背景パターンＢＰと、配線パターンＷＰ1は、第２ガラス板２２上へのＩＴＯの蒸着後に不要部分をエッチングすることによって形成され、エッチングにより形成された隙間には、適当な方法で絶縁物質層３３が埋め込まれる。
【００２４】
図４は、一表示パターンの形状を説明する拡大平面図である。図示の表示パターンＤＰ1は、一対のセグメントＳ1、Ｓ2から構成される。両セグメントＳ1、Ｓ2は、分岐する配線パターンＷＰ1の先端に接続されている。なお、図面ではデフォルメしてあるが、実際には各セグメントＳ1、Ｓ2の幅は約１００μｍとなっており、幅５μｍ程度の配線パターンＷＰ1に比べて非常に太くなっている。
【００２５】
図５は、図１に示す表示パネルに設けた各パターンの表示状態を制御する駆動回路の要部を説明する図である。この駆動回路は、インバータやスリーステートバッファ等のデジタル回路素子からなり、裏面の透明電極層３２（図３参照）を駆動するための裏面ドライブ部６１、背景パターンＢＰ（図３参照）を駆動するための背景ドライブ部６２と、表示パターンＤＰ1〜ＤＰ5（図１、３参照）を駆動するための表示ドライブ部６３とを備える。
【００２６】
基準となるクロック信号ＣＫとしては、例えば比較的周波数の低い５０ＨＺの矩形波を用いる。高分子分散型液晶５０の裏面側に配置される透明電極層３２には、裏面ドライブ部６１の出力に接続された端子ＴＲを介して、上記クロック信号ＣＫを反転した逆相信号が印加される。高分子分散型液晶５０の表面側に配置される背景パターンＢＰには、背景ドライブ部６２の出力に接続された端子ＴＢを介して、裏面ドライブ部６１の出力に接続された端子ＴＲと同位相の信号と、これに対して逆位相つまりπだけ位相のずれた信号とのいずれかが印加される。これら同相信号と逆相信号の切り替えは、背景ドライブ部６２を構成するスリーステートバッファの制御入力端子ＢＳへの印加信号によって任意に行い得るようになっている。高分子分散型液晶５０の表面側に配置される表示パターンＤＰ1〜ＤＰ５には、表示ドライブ部６３の出力に接続された端子Ｔ1、Ｔ2、Ｔ3、…を介して、電圧が印加されたたり電圧の印加が遮断される。これにより、表示パターンＤＰ1〜ＤＰ５は、裏面ドライブ部６１の出力に接続された端子ＴＲと逆位相の信号を印加する状態と、信号ラインの接続を断って端子Ｔ1、Ｔ2、Ｔ3、…の各ラインを電気的に浮かしてしまうハイインピーダンス状態との切り替えが可能になる。これら逆相信号の印加状態とハイインピーダンス状態との切り替えは、表示ドライブ部６３を構成するスリーステートバッファの制御入力端子ＤＳ1、ＤＳ2、ＤＳ3、…への印加信号によって、各表示パターンＤＰ1〜ＤＰ5に個別に行い得るようになっている。
【００２７】
まず、背景ドライブ部６２の出力に注目する。端子ＴＢを介して背景パターンＢＰに裏面側の端子ＴＲとは逆位相の信号が印可されると、背景パターンＢＰと透明電極層３２との間には交流電界が生じ、これによって高分子分散型液晶５０を構成する液晶の分子が整列して、この部分（背景領域）は透明化する。これで、表示パネル１０の表示部分の大半をしめる背景領域が透明化され、表示パネル１０の片面から反対面へと抜ける入射光束がここを通過できることになる。
【００２８】
次に、表示ドライブ部６３の出力に注目する。端子Ｔ1、Ｔ2、Ｔ3、…を介して表示パターンＤＰ1〜ＤＰ5のいずれかに裏面側の端子ＴＲとは逆位相の信号が印可されると、上記バックグラウンドと同様に、表示パターンＤＰ1〜ＤＰ5のいずれかに相当する部分（表示領域）は透明化する。
【００２９】
ここで、表示ドライブ部６３の出力端子への電圧供給を遮断する場合、結果として端子Ｔ1、Ｔ2、Ｔ3、…がハイインピーダンス状態となる。
【００３０】
表示パターンＤＰ1〜ＤＰ5および配線パターンＷＰ1〜ＷＰ5からなるパターン電極の線幅が細いとき、例えば幅５μｍ以下になるときには、高分子分散型液晶５０の膜厚が先に述べたように１０μｍ程度であるから、線幅とその両側の境界領域の幅との合計幅が高分子分散型液晶５０の膜厚と同等程度になるため、上記パターン電極の周りの背景パターン電極の電界が上記細い線幅のパターン電極とその両側の境界領域との合計幅領域直下の高分子分散型液晶５０に廻り込む。そして、この合計幅領域部分の高分子分散型液晶５０に電界の効果を発生させ、この部分の液晶を整列させ、高分子分散型液晶５０の特性から透明化する。すなわち、ハイインピーダンス状態となったパターン電極の線幅が細いとき、具体的には配線パターンＷＰ1〜ＷＰ5の部分では、これらパターン及び隣接した境界部分が透明化する。
【００３１】
一方、上記パターン電極の線幅が太いとき、例えば数百μｍ以上となるときには、パターン電極は隣よりもむしろ対面する透明電極層３２の信号に誘導され、この透明電極層３２と同位相になる傾向が強くなると同時に電界の廻り込みの影響が小さくなくなるので、パターン電極直下の高分子分散型液晶５０に電界の効果は発生せず、高分子分散型液晶５０が光散乱状態となる。すなわち、ハイインピーダンス状態となったパターン電極の線幅が太いとき、具体的には表示パターンＤＰ1〜ＤＰ5の部分では、これらが透明の背景領域に対して白地領域として表示されることになる。
【００３２】
図６は、図１に示す表示パネルを組み込んだ一眼レフレックスカメラの構造を概念的に説明する図である。
【００３３】
この一眼レフレックスカメラは、被写体の像をフィルム上に結像させるための撮影レンズ２と、撮影レンズ２からの光の光路を切り換えるための跳ね上げ式の反射ミラー３と、フィルムと共役な面に配置されるスクリーン４と、このスクリーン４に近接して配置される表示パネル１０と、スクリーン４及び表示パネル１０を透過した光を観察のために折り曲げるペンタプリズム５と、スクリーン４上に投影された像を観察するためのレンズ６と、表示パネル１０を駆動する駆動回路７とを備える。
【００３４】
表示パネル１０は、図１〜図４に示す構造を有しており、図５に示す構造を有する駆動回路７によって駆動される。なお、駆動回路７は、一眼レフレックスカメラの動作を統括的に制御するＣＰＵ８からの指示に基づいて動作する。ＣＰＵ８は、図示を省略するＡＥ装置やＡＦ装置等からの信号に基づき、駆動回路７を介して表示パネル１０の表示状態を制御する。
【００３５】
図示のように、表示パネル１０をスクリーン４に近接して配置すると、撮影レンズ２によってスクリーン４に結像した像は、この表示パネル１０のバックグランド（背景領域）をそのまま通過する。また、表示パネル１０のバックグランド以外の部分、つまり表示パターンＤＰ1〜ＤＰ5の部分がハイインピーダンス状態となって光散乱状態となったときは、この部分に入射する光は、すべての方向に散乱されて、目の方向に行く光はごく一部だけとなる。必然的にこの部分の光量は下がり表示される部分がそのほかに比べて暗く沈むことになる。こうした効果によって、この表示パネル１０で光学的に背景と表示パターンとがスーパーインポーズされることになる。なお、スクリーン４に十分な光が到達しない場合、表示パネル１０の縁側の側面から適当な光量の照明光を入射させることにより、暗い背景中に明るい表示パターンがスーパーインポーズされることになる。
【００３６】
以上から明らかなように、本実施形態の表示パネル１０では、配線部分の幅とパターンを構成する隣接セグメントの間の両間隙部（境界部）とを背景領域の電界の廻り込みにより透明化するのに十分なだけ細くするとともに、表示パターンＤＰ1〜ＤＰ5を構成するセグメントについては背景領域の電界の廻り込みがあっても光散乱状態が維持される程度以上に太い線幅にしてあるので、表示パターンＤＰ1〜ＤＰ5をハイインピーダンス状態にすると配線パターンＷＰ1〜ＷＰ5は透明化して見えず表示パターンＤＰ1〜ＤＰ5を構成するセグメントだけが白地領域として表示されることになる。また、表示パターンＤＰ1〜ＤＰ5に裏面の透明電極層３２とは逆位相の信号を加えて透明化させたときにも、表示パターンＤＰ1〜ＤＰ5と背景パターンＢＰとの隙間を十分に小さくとっているので、電極のない部分であるこの間隙部に対向する高分子分散型液晶５０領域にも上記と同様の効果で電界が廻り込み、高分子分散型液晶５０が透明化し、各表示パターンＤＰ1〜ＤＰ5の縁取りが観測されなくなる。
【００３７】
〔第２実施形態〕
図７は、第２実施形態の液晶表示装置を構成する表示パネルの平面図である。なお第２実施形態の液晶表示装置は、第１実施形態の液晶表示装置の変形例であり、同一部分には同一の符号を付して重複説明を省略する。
【００３８】
この表示パネル１１０の視野領域ＩＦの内部には、図１と同様に５つの表示パターンＤＰ1〜ＤＰ5が配列されている。各表示パターンＤＰ1〜ＤＰ5は、「［ 」状のセグメントと、「 ］」状のセグメントとからなっており、これらのセグメントには、配線パターンＷＰ11〜ＷＰ52が個別に接続されている。つまり、図１の配線パターンＷＰ1は図７のＷＰ11、ＷＰ12に相当し、配線パターンＷＰ2はＷＰ21、ＷＰ22に相当し、配線パターンＷＰ3はＷＰ31、ＷＰ32に相当し、配線パターンＷＰ4はＷＰ41、ＷＰ42に相当し、配線パターンＷＰ5はＷＰ51、ＷＰ52に相当する。
【００３９】
そして、端子引出部３１には、端子Ｔ11〜Ｔ52、ＴＢ、ＴＲが形成される。ここで、図１の端子Ｔ1は図７の端子Ｔ11、Ｔ12に相当し、端子Ｔ2は端子Ｔ21、Ｔ22に相当し、端子Ｔ3は端子Ｔ31、Ｔ32に相当し、端子Ｔ3は端子Ｔ41、Ｔ42に相当し、端子Ｔ4は端子Ｔ41、Ｔ42に相当する。
【００４０】
この場合、各表示パターンＤＰ1〜ＤＰ5に給電する配線が増えることになるが、表示パターンＤＰ1〜ＤＰ5の駆動は、図５に示す駆動回路とほぼ同様の回路によって達成できる。
【００４１】
〔第３実施形態〕
図８は、第３実施形態の液晶表示装置を構成する表示パネルの平面図である。なお第３実施形態の液晶表示装置は、第１実施形態の液晶表示装置の変形例である。
【００４２】
この表示パネル２１０の視野領域ＩＦの内部には、格子状の表示パターンＤＰ201が形成されており、この表示パターンＤＰ201には、周囲から複数の配線パターンＷＰ201〜ＷＰ209が接続されている。そして、端子引出部３１には、端子Ｔ201〜Ｔ209、ＴＢ、ＴＲが形成される。
【００４３】
この場合、表示パターンＤＰ201の面積が比較的大きくなるが、複数の配線パターンＷＰ201〜ＷＰ209から電圧を供給しているので、位相遅れ等の弊害がなく所望の表示を達成できる。
【００４４】
以上、実施形態に即して本発明を説明したが、本発明は、上記実施形態に限定されるものではない。例えば、表示パターンの形状や大きさは、表示パネルの使用目的等に応じて適宜変更することができる。
【００４５】
また、上記実施形態では、表示パターンＤＰ1〜ＤＰ5をスリーステートバッファを利用してデジタル的に駆動することによってハイインピーダンス状態としているが、表示パターンＤＰ1〜ＤＰ5の表示・非表示をアナログ的に制御することもできる。この場合、ＦＥＴで構成されるアナログスイッチより、表示パターンＤＰ1〜ＤＰ5に裏面側の透明電極層３２と逆位相の正弦波を接続したり、表示パターンＤＰ1〜ＤＰ5への電圧供給ラインを切り離したりすることもできる。また、スリーステートバッファやＦＥＴの代わりに、機械的にリレーを使用して回路の接続と切り離しを行うこともできる。
【００４６】
【発明の効果】
以上の説明から明らかなように、本発明の液晶表示装置によれば、第１電極パターンと第２電極パターンとに電圧を印加することによって両パターンが共に透明状態となった場合、両パターンの境界部分に対向する高分子分散型液晶層に周囲からの電界が回り込んで、両隣接パターンの境界部分が表示・観察されなくなる。つまり、カメラその他の光学装置において、意図したままの表示内容を光学的にスーパーインポーズすることができるようになる。
【図面の簡単な説明】
【図１】第１実施形態の液晶表示装置を構成する表示パネルの平面図である。
【図２】図１の表示パネルの断面構造を示す図である。
【図３】（ａ）（ｂ）は、透明電極層の境界における表示状態を説明する図である。
【図４】表示パターンの形状を説明する拡大平面図である。
【図５】図１に示す表示パネルの駆動回路を説明する図である。
【図６】図１の表示パネルや図５の駆動回路を組み込んだカメラの構造を説明する図である。
【図７】第２実施形態の液晶表示装置を構成する表示パネルの平面図である。
【図８】第３実施形態の液晶表示装置を構成する表示パネルの平面図である。
【符号の説明】
２  撮影レンズ
３  反射ミラー
４  スクリーン
５  ペンタプリズム
７  駆動回路
１０  表示パネル
２１  第１ガラス板
２２  第２ガラス板
３２,４２  透明電極層
５０  高分子分散型液晶
６１  裏面ドライブ部
６２  背景ドライブ部
６３  表示ドライブ部
ＢＰ  背景パターン
ＤＰ1〜ＤＰ5  表示パターン
Ｔ1〜Ｔ5,ＴＢ,ＴＲ  端子
ＷＰ1〜ＷＰ5  配線パターン
【図１】
0004649736.tif 000002
【図２】
0004649736.tif 000003
【図３】
0004649736.tif 000004
【図４】
0004649736.tif 000005
【図５】
0004649736.tif 000006
【図６】
0004649736.tif 000007
【図７】
0004649736.tif 000008
【図８】
0004649736.tif 000009